(57)【要約】【課題】  効率的なマルチキャストサービス方法を提供する。【解決手段】  所定の領域を相互重畳した少なくとも１つのマクロセル領域と少なくとも１つのマイクロセルに区分される階層セル構造を有する移動通信システムで、マクロセルまたはマイクロセルから移動通信端末機にマルチキャストサービスを提供する方法において、前記移動通信端末機は、マクロセルにおいて測定されたマルチキャストサービスに対する信号対雑音比及び既存にサービスを受けている同時呼の有無によってマクロセルまたはマイクロセルに接続することによってマルチキャストサービスを受ける。【選択図】  図１
2004260824.tif 000002
【特許請求の範囲】
【請求項１】
少なくとも１つのマイクロセル領域が１つのマクロセル領域に重畳される階層セル構造を有する移動通信システムで、前記マクロセルまたは前記マイクロセルから移動通信端末機にマルチキャストサービスを提供する方法において、
前記マイクロセル領域が重畳される前記マクロセルにおける測定された信号対雑音比が特定マルチキャストサービスのために要請される信号対雑音比を満足するか否かを判断する過程と、
前記移動通信端末機が前記マクロセルを制御する基地局から前記特定マルチキャストサービスを受ける過程と、
を含むことを特徴とする方法。
【請求項２】
前記移動通信端末機が受けようとするサービスがマルチキャストサービスであるか否かを判断する過程をさらに含む請求項１に記載の方法。
【請求項３】
前記移動通信端末機が受けようとするサービスがマルチキャストサービスでない場合、前記移動通信端末機は、該当マイクロセルを制御する基地局またはマクロセルを制御する基地局との接続を維持する請求項２に記載の方法。
【請求項４】
前記測定された信号対雑音比が前記マルチキャストサービスのために要請される信号対雑音比を満足する場合であっても、前記移動通信端末機は、前記移動通信端末機の属するマイクロセルのサービス状態を考慮して、前記マクロセル及びマイクロセルから選択的にサービスを受ける請求項１に記載の方法。
【請求項５】
前記測定された信号対雑音比が前記マルチキャストサービスのために要請される信号対雑音比を満足しない場合、前記移動通信端末機は、該当マイクロセルを制御する前記基地局との接続を維持する請求項１に記載の方法。
【請求項６】
前記移動通信端末機が前記マクロセルから前記マルチキャストサービスを受ける時、前記移動通信端末機は、所定の周期で前記マクロセル領域における信号対雑音比を測定し、前記測定された信号対雑音比が前記マルチキャストサービスのために要請される信号対雑音比を満足するか否かを判断することによって、前記マイクロセルへのハンドオーバーを遂行するか否かを決定する請求項１に記載の方法。
【請求項７】
前記マクロセルの領域がサービス提供可能なデータ伝送率によって分割され、前記移動通信端末機が前記マクロセルの分割された領域に進入する場合、マルチキャストサービスが前記移動通信端末機に提供されるか否かによって、前記該当領域のデータ伝送率による信号対雑音比が適用される請求項１に記載の方法。
【請求項８】
前記領域分割の基準になるデータ伝送率は、３８４Kbps、１４４Kbps、６４Kbps及び１２．２Kbpsのいずれか１つである請求項７に記載の方法。
【請求項９】
前記マクロセルの中心からの距離によって異なるデータ伝送率が提供される請求項７に記載の方法。
【請求項１０】
基地局は、信号対雑音比の測定を特定時間にまたは周期的に特定の移動通信端末機に要請することができ、前記測定された信号対雑音比と特定サービスのための信号対雑音比とを比較してハンドオフを遂行するか否かを決定する請求項１に記載の方法。
【請求項１１】
所定の領域が相互重畳した少なくとも１つのマクロセルと少なくとも１つのマイクロセルとに区分され、移動通信端末機が前記マクロセルまたはマイクロセルからマルチキャストサービスを受ける移動通信システムで、階層セル構造における信号対雑音比を利用したマルチキャストサービス方法において、
前記移動通信端末機が所定のマイクロセルに進入し、基地局にマルチキャストパケット呼セットアップ要請を伝送して、基地局制御器に無線ベアラーメッセージをセットアップする時、前記基地局制御器が前記移動通信端末機に該当のマクロセル領域における測定された信号対雑音比を送信する過程と、
前記測定された信号対雑音比が前記マルチキャストサービスのために要請される信号対雑音比を満足する場合、前記マイクロセルから前記マクロセルへのハンドオーバーを遂行する過程と、
を含む方法。
【請求項１２】
所定の領域が相互重畳した少なくとも１つのマクロセルと少なくとも１つのマイクロセルとに区分され、移動通信端末機が前記マクロセルまたはマイクロセルからマルチキャストサービスを受ける移動通信システムで、階層セル構造における信号対雑音比を利用したマルチキャストサービス方法において、
前記マクロセルにおいてサービス中の呼を受けている状態で、前記マイクロセルが提供するマルチキャストサービスを要請する過程と、
前記マクロセルにおいてサービス中の呼を前記マイクロセルにハンドオーバーする過程と、
前記マイクロセルにおいて前記マルチキャストサービス及び前記サービス中の呼を同時にサービスする過程と、
を含むことを特徴とする方法。
【請求項１３】
前記マイクロセルの容量の不足によってマルチキャストサービスを提供することができない場合、前記マクロセルの負荷によって前記マルチキャストサービスを受容するか否かを判断する過程と、
前記マクロセルにおいて特定のマルチキャスト領域を増加させる過程と、
前記マクロセルにおいて前記マルチキャストサービス及びサービス中の呼を同時に受容する過程と、をさらに含む請求項１１に記載の方法。
【請求項１４】
所定の領域が相互重畳した少なくとも１つのマクロセルと少なくとも１つのマイクロセルとに区分され、移動通信端末機が前記マクロセルまたはマイクロセルからマルチキャストサービスを受ける移動通信システムで、階層セル構造における信号対雑音比を利用したマルチキャストサービス方法において、
前記マイクロセルにおいてサービス中の呼を受けている状態で、前記マクロセルが提供するマルチキャストサービスを要請する過程と、
前記マイクロセルにおいてサービス中の呼を前記マクロセルにハンドオーバーする過程と、
前記マクロセルにおいて前記マルチキャストサービス及び前記サービス中の呼を同時にサービスする過程と、
を含む方法。
【請求項１５】
前記マクロセルの容量の不足によってマルチキャストサービスを提供することができない場合、前記マイクロセルの負荷によって前記マルチキャストサービスを受容するか否かを判断する過程と、
前記マイクロセルにおいて特定のマルチキャスト領域を増加させる過程と、
前記マイクロセルにおいて前記マルチキャストサービス及びサービス中の呼を同時に受容する過程と、をさらに含む請求項１３に記載の方法。
【請求項１６】
所定の領域が相互重畳した少なくとも１つのマクロセルと少なくとも１つのマイクロセルとに区分され、移動通信端末機が前記マクロセルまたはマイクロセルからマルチキャストサービスを受ける移動通信システムで、階層セル構造における信号対雑音比を利用したマルチキャストサービス方法において、
前記マクロセルにおいてサービス中の呼を受けている状態で前記マイクロセルが提供するマルチキャストサービスを要請する過程と、
前記マルチキャストサービスが前記マイクロセルが通常に提供するデータ伝送率より高い伝送率を要請することを確認する過程と、
前記マイクロセルにおいて前記マルチキャストサービス及び前記サービス中の呼を同時にサービスする過程と、
を含むことを特徴とする方法。
【発明の詳細な説明】
【技術分野】
【０００１】
本発明は、移動通信システムに関し、特に、階層セル構造において効率的にマルチキャストサービスを提供する方法に関する。
【背景技術】
【０００２】
移動通信システムにおいて、国際電気通信連合-電気通信標準化部門(International Telecommunication Union-Telecommunication Standardization Sector: ＩＴＵ-Ｔ) Ｑ．１７１１に定義されたサービス範囲及びデータ伝送率によってメガセル(Mega Cell)、マクロセル(Macro Cell)、マイクロセル(Micro Cell)及びピコセル(Pico Cell)などの多様な無線接続が可能であり、前記各セルの種類によってサービスカバレージが異になる。さらに、前記サービスカバレージ及び前記データ伝送率は、移動通信サービス方式によって異になることができ、前記各セルの種類によるサービス方法の例を説明すると、以下のようである。
【０００３】
前記メガセルは、人工衛星通信ネットワークを利用して広い地域をカーバする広帯域サービスを提供し、セル半径は、１００〜５００Km以内である。前記メガセルは、データサービス及び音声サービスを同時に提供することができる。前記マクロセルは、サービス半径が３５Km以内であり、移動通信システムで加入者通話量の少ない地域のカバレージを拡張するために、主に郊外地域及び準平滑地域において使用される。前記マクロセルは、セル拡張のための基地局と中継器として設置された基地局との間の周波数に関係なく導入されることができる。
【０００４】
一方、前記マイクロセルは、約０．５〜１kmのカバレージを有し、移動通信端末機が基地局アンテナを見ることのできる可視距離電波経路が主要伝送経路になる。さらに、前記ピコセルは、半径５０m以内の都心の建物密集地域及び地下建物をサービスするために、建物内システムまたは小型中継器を設置する。前記建物内のシステムは、交換局から伝送回線(European Transmission Rate 1(E1) Line)を建物内のＢＴＳ(Base station Transceiver System)(つまり、ピコ-ＢＴＳ)まで連結し、建物内に光ケーブル及びアンテナを設置することによって建物内サービスを提供し、小型中継器は、地上信号を受信し、オムニアンテナまたはパッチアンテナを使用して建物の地下層をサービスする。最大データ伝送率は、２Mbpsである。
【０００５】
一方、前述したようなセルの種類による区分は、システムによって多様に設計されることができ、本発明が特定サービスシステムに限定されることではない。
【０００６】
移動通信システムにおいて、セルのサービス地域及びセルの適用地域は、サービスのタイプによって異なり、通達距離及びセル地域の加入者収容容量は、基地局アンテナの位置、アンテナの高さ、アンテナのビーム形態、アンテナの傾斜度及びアンテナの送信電力などによって変化する。
【０００７】
前述したように、同一地域内においてセルの規模及び伝送速度によって多様に区分してサービスを提供することを“階層セル構造(Hierarchical Cell Structure: 以下、ＨＣＳと称する)”と称する。例えば、特定地域においてマイクロセルに対するサービス及びマクロセルに対するサービスが同時に提供される場合、前記地域がＨＣＳを形成していると見なすことができる。
【０００８】
一般的に、前記ＨＣＳシステムにおいて、前記マクロセルが高速移動使用者及び低速データ伝送サービスを管理し、前記マイクロセルが低速移動使用者及び高速データ伝送サービスを管理する。より具体的に説明すると、前記マクロセルは、広いセル半径を有するが、サービスできる容量(capacity)が限定されているので、低速データ伝送サービスを要請する使用者にサービスを提供することが望ましい。しかしながら、高速移動使用者に対して前記マイクロセルにおいてサービスする場合、頻繁なハンドオーバー(また、ハンドオフとして知られている)によってサービス効率が低下する可能性がある。従って、前記高速移動使用者に対しては前記マイクロセルより前記マクロセルにおいてサービスすることが望ましい。
【０００９】
場合によっては、前記マクロセルまたはマイクロセルの負荷によってサービスを提供する方法を変更することができる。つまり、特定マイクロセルの負荷が非常に大きい場合、前記マクロセルにおいて高速移動使用者にサービスを提供する方法も提案された。
【００１０】
一方、前記ＨＣＳにおけるマルチキャスト(Multicast)サービス提供の方法に関連して、特定マルチキャストサービスを提供するマイクロセルの数が非常に少ない場合、マイクロセルにおいてサービスを提供し、前記マイクロセルの数が多い場合は、マクロセルにおいてマルチキャストサービスを提供する方法も可能である。
【００１１】
しかしながら、前記マルチキャストサービスの場合、高速データ伝送サービスがマイクロセルのみによって提供される時、特定マルチキャストサービスを受ける使用者の数の増加、または、頻繁なハンドオフによってサービス品質(ＱｏＳ)が低下する可能性がある。反面、前記マルチキャストサービスがマクロセルのみによって提供される場合、前記マルチキャストサービスのデータ伝送率(data rate)が増加するほど、マクロセルの負荷に大きい影響を与える。
【００１２】
さらに、動的にマルチキャストサービスの階層を選択する方案が提供されたが、前記サービスの提供中に頻繁な階層間のハンドオフが発生する可能性があるので、高速で伝送されるデータによってマクロセルにおいて深刻に容量が減少される可能性がある。
【発明の開示】
【発明が解決しようとする課題】
【００１３】
従って、本発明の目的は、移動通信システムにおいて、階層セル構造における信号対雑音比を利用してマクロセルまたはマイクロセルを選択することによって効率的なマルチキャストサービス方法を提供することにある。
【課題を解決するための手段】
【００１４】
前述したような目的を達成するための本発明によると、少なくとも１つのマイクロセル領域が１つのマクロセル領域に重畳される階層セル構造を有する移動通信システムで、前記マクロセルまたは前記マイクロセルから移動通信端末機にマルチキャストサービスを提供する方法は、前記マイクロセル領域が重畳される前記マクロセルにおける測定された信号対雑音比が特定マルチキャストサービスのために要請される信号対雑音比を満足するか否かを判断する過程と、前記移動通信端末機が前記マクロセルを制御する基地局から前記特定マルチキャストサービスを受ける過程と、を含む。
【００１５】
前記方法は、前記移動通信端末機が所定のマイクロセルに進入して前記マイクロセルの基地局に接続する時、前記移動通信端末機が受けようとするサービスがマルチキャストサービスであるか否かを判断する過程をさらに含む。
【００１６】
前記移動通信端末機が受けようとするサービスがマルチキャストサービスでない場合、前記移動通信端末機は、該当マイクロセルを制御する基地局またはマクロセルを制御する基地局との接続を維持する。
【００１７】
前記測定された信号対雑音比が前記マルチキャストサービスのために要請される信号対雑音比を満足する場合であっても、前記移動通信端末機は、前記移動通信端末機の属するマイクロセルのサービス状態を考慮して、前記マクロセル及びマイクロセルから選択的にサービスを受ける。
【００１８】
前記移動通信端末機は、特定のマルチキャストサービスを要請する使用者の数に基づいて前記マイクロセルから前記マルチキャストサービスが提供されることができるか否かを決定する。
【００１９】
前記移動通信端末機は、特定のマルチキャストサービスを提供するマイクロセルの数に基づいて前記マイクロセルから前記マルチキャストサービスが提供されることができるか否かを決定する。
【００２０】
前記測定された信号対雑音比が前記マルチキャストサービスのために要請される信号対雑音比を満足しない場合、前記移動通信端末機は、該当マイクロセルを制御する前記基地局との接続を維持する。
【００２１】
前記移動通信端末機が前記マクロセルから前記マルチキャストサービスを受ける時、前記移動通信端末機は、所定の周期で前記マクロセル領域における信号対雑音比を測定し、前記測定された信号対雑音比が前記マルチキャストサービスのために要請される信号対雑音比を満足するか否かを判断することによって、前記マイクロセルへのハンドオーバーを遂行するか否かを決定する。
【００２２】
前記マクロセルの領域がサービス提供可能なデータ伝送率によって分割され、前記移動通信端末機が前記マクロセルの分割された領域に進入する場合、マルチキャストサービスが前記移動通信端末機に提供されるか否かによって、前記該当領域のデータ伝送率による信号対雑音比が適用される。
【００２３】
前記領域分割の基準になるデータ伝送率は、３８４Kbps、１４４Kbps、６４Kbps及び１２．２Kbpsのいずれか１つであり、同期式ＥＶ−ＤＯ(Evolution-Data Only)システムである場合、前記領域分割の基準になるデータ伝送率は、３８．４Kbps、７６．８Kbps、１５３．６bps及び３０７．２Kbpsのいずれか１つである。
【００２４】
前述した目的を達成するための本発明によると、所定の領域が相互重畳した少なくとも１つのマクロセルと少なくとも１つのマイクロセルとに区分され、移動通信端末機が前記マクロセルまたはマイクロセルからマルチキャストサービスを受ける移動通信システムで、階層セル構造における信号対雑音比を利用したマルチキャストサービス方法には、前記移動通信端末機が所定のマイクロセルに進入し、基地局にマルチキャストパケット呼セットアップ要請を伝送して、基地局制御器に無線ベアラーメッセージをセットアップする時、前記基地局制御器が前記移動通信端末機に該当のマクロセル領域における測定された信号対雑音比を送信する過程と、前記測定された信号対雑音比が前記マルチキャストサービスのために要請される信号対雑音比を満足する場合、前記マイクロセルから前記マクロセルへのハンドオーバーを遂行する過程と、を含む。
【発明の効果】
【００２５】
本発明は、前記マクロセルの全ての領域において高速データ伝送によって発生できる深刻な容量減少を防止することができ、さらに、マイクロセルのみにおいてマルチキャストサービスを提供することによって発生できる頻繁なハンドオフ及び伝送品質の低下を防止することができる。また、マルチキャストサービスを提供するマイクロセルの数及びマルチキャストサービス使用者の数に基づいてマルチキャストサービス階層を動的に変更する方法に比較すると、本発明による方法は、階層間に発生できる頻繁なハンドオフを防止することができる。
【発明を実施するための最良の形態】
【００２６】
以下、本発明の好適な一実施形態について添付図を参照しつつ詳細に説明する。下記の説明において、本発明の要旨のみを明確にする目的で、関連した公知機能又は構成に関する具体的な説明は省略する。
【００２７】
マルチキャストサービスの重要問題は、接続モード(connected mode)状態におけるハンドオーバー処理問題である。本発明によって、マイクロセルにおいて使用されるマルチキャストサービスによって発生する頻繁なハンドオフの問題を解決し、マクロセルにおいて提供される高速マルチキャストサービスによる過負荷の問題を解決することができる。つまり、特定データ伝送率を維持すべきであるマルチキャストサービスをマクロセルの信号対雑音比(Carrier to Interference: 以下、Ｃ／Ｉと称する)によって効率的に提供することによって、前記マクロセルに属するマイクロセル内の加入者は固有の高速サービスを利用することができる。
【００２８】
一方、３ＧＰＰ(3rd Generation Partnership Project)スペック(spec)．ＴＳ(Technical Specification)２５．１０１に明記されている各サービスデータ伝送率を満足させるために要請されるＥｃ／Ｉｏｒ(他の領域または物理チャネルにおける全体伝送パワースペクトル密度に対するＰＮ(Pseudo-noise Noise)チップ当りに平均伝送パワー比率)は、表１のようになる。なお、表１は、二重経路(dual path)の歩行者に基づいている。
【００２９】
【表１】
2004260824.tif 000003
【００３０】
以下、図１及び図２を参照して本発明の適用のためにＣ／Ｉによってマクロセルが区分されるＨＣＳ構造に関して説明する。
図１を参照してＨＣＳ構造を説明すると、前記ＨＣＳは、１つのマクロセル１００内に複数のマイクロセル１１０が重複されてデザインされることができる。一方、前記データ伝送率は、基地局との距離によって異なるので、表１によるマクロセルのデータ伝送率が図１のような領域によって区分されることができる。
【００３１】
つまり、基地局を利用して前記マクロセル１００の中心からの距離によってデータ伝送率を区分することができる。例えば、基地局の中心には３８４Kbpsの高速の伝送率でサービスを提供することができ、前記中心から遠くなるほどＥｃ／Ｉｏｒが減少されるので、１１４Kbps、６４Kbps及び１２．２Kbpsの順で低い伝送率のサービスを提供するようになる。
【００３２】
図２は、本発明による階層セル構造においてマルチキャストサービス提供の概念を示す図である。図２を参照すると、マクロセルの基地局２００を中心にして所定の距離によってマクロセルの伝送率による境界(boundary)が区分され、最高の伝送率から最低の伝送率への順に、前記基地局の中心から外側に第１ないし第４データ伝送率が領域２０２、２０４、２０６及び２０８にそれぞれマッチングされる。
【００３３】
前記マクロセル領域内のマイクロセルに属する使用者は、特定伝送率のマルチキャストサービスを前記マイクロセルまたは前記マクロセルから受けることができる。前記マイクロセル基地局２１０内の使用者は、前記マイクロセルから第１データ伝送率及び第２データ伝送率のマルチキャストサービスを受けることができ、前記マクロセルから第３データ伝送率及び第４データ伝送率のマルチキャストサービスを受けることができる。
【００３４】
従って、第１データ伝送率を提供するマクロセル領域に属する移動通信端末機は、前記第１データ伝送率のサービスを前記マクロセルから受けることができる。しかしながら、前記移動通信端末機が第３データ伝送率を提供するマクロセル領域に移動する場合、前記第１データ伝送率の高速サービスを前記マクロセルから受けることができず、前記第１データ伝送率のサービスを受けることのできるマイクロセルから高速サービスを受けるべきである。
【００３５】
より具体的に説明すると、前記マイクロセルにおいて使用者によって要請されるデータ伝送率に対するＣ／Ｉによってマルチキャストサービスが提供されることのできる領域が設定される。つまり、設定半径以外のマクロセル領域においては、下位階層であるマイクロセルがマルチキャストサービスを提供し、設定半径以内のマイクロセル領域においては、上位階層であるマクロセルが基本的にマルチキャストサービスを提供する。
【００３６】
しかしながら、マクロセルからマイクロセルにサービス提供階層を移動する既存の方式を追加的に使用して、マクロセルにおいて提供されたサービスをマイクロセルにおいて提供することもできる。つまり、特定マルチキャストサービスを要請する使用者が非常に少ない場合、または、特定マルチキャストサービスを提供するマイクロセルの数が非常に少ない場合は、前記マクロセルにおいてサービスを提供することのできる領域内であっても(つまり、前記マクロセルにおいてＣ／Ｉを満足する場合)、マクロセルにおいてサービスを提供することでなく、マイクロセルにおいてサービスを提供する既存の方式を使用することができる。
【００３７】
以下、図３及び図４を参照して前述したような方法を具現するための手順を説明する。
図３は、本発明による階層セル構造においてマルチキャストサービスを提供するための手順を示すフローチャートである。図３を参照すると、前記移動通信端末機は、キャンプオン(camp-on)し、所定のマイクロセルに接続し(段階３００)、所望するマルチキャストサービスを要請する(段階３１０)。前記要請されたサービスがマルチキャストサービスでない場合、前記移動通信端末機は、前記マイクロセルの基地局との接続を継続して維持する(段階３２０)。
【００３８】
一方、前記要請されたサービスがマルチキャストサービスである場合、前記移動通信端末機は、前記要請されたマルチキャストサービスのデータ伝送率を確認する(段階３３０)。次に、前記移動通信端末機は、前記要請されたマルチキャストサービスのデータ伝送率に対するＣ／Ｉと前記移動通信端末機の属するマクロセル領域における測定されたＣ／Ｉとを比較し、前記マルチキャストサービスをマクロセルから受けるか、それともマイクロセルから受けるかを決定する(段階３４０)。
【００３９】
つまり、前記測定されたマクロセルにおけるＣ／Ｉが前記要請されたマルチキャストサービスに対するＣ／Ｉより大きい場合、これは前記マクロセルから前記マルチキャストサービスが提供されることができることを意味するので、前記移動通信端末機は前記マクロセルにハンドオーバーを遂行する(段階３６０)。
【００４０】
従って、前記移動通信端末機は、前記マルチキャストサービスを前記マクロセルから受け、サービス進行中に継続的に(望ましくは、所定の周期間隔で)パイロットパワーを監視して適正のＣ／Ｉによってサービスが提供されるか否かをチェックする(段階３７０)。前記マルチキャストサービスに要請される適正のＣ／Ｉが保障されない場合、前記マイクロセルに戻ってハンドオーバーを遂行することが望ましい。
【００４１】
しかしながら、前記測定されたマクロセルにおけるＣ／Ｉが前記要請されたマルチキャストサービスに対するＣ／Ｉより小さい場合、前記マクロセルから前記マルチキャストサービスが提供されることができないので、前記移動通信端末機は、前記マイクロセルへの接続を維持(段階３５０)して前記マルチキャストサービスを受ける。この時も、また、前記移動通信端末機は、周期的にパイロットパワーを監視して適正のＣ／Ｉによってサービスが提供されるか否かをチェックする(段階３８０)。
【００４２】
図４は、本発明による階層セル構造においてマルチキャストサービスの呼処理の手順を示すフローチャートである。図４を参照すると、所定のマイクロセルに進入した移動通信端末機、つまり、使用者端末機(User Equipment: ＵＥ)が前記マイクロセルの基地局を通じて前記基地局制御器(Base Station Controller: ＢＳＣ)Ａ、つまり、基地局制御器(Radio Network Controller: ＲＮＣ)Ａに無線資源制御(Radio Resource Control: ＲＲＣ)接続セットアップ要請を送ることによって初期化を遂行(段階４００)し、前記ＲＮＣ Ａにマルチキャストサービスのためのパケット呼セットアップ要請を送る(段階４０２)。
【００４３】
前記パケット呼セットアップ要請を受けると、前記ＲＮＣ Ａは、コアネットワーク(Core Network: ＣＮ)に前記呼セットアップ要請を送り(段階４０４)、前記ＣＮは、前記ＲＮＣ Ａに無線資源を割り当てる(段階４０６)。その次に、前記ＲＮＣ Ａは、前記ＵＥに無線ベアラー(Radio Bearer: ＲＢ)セットアップメッセージを送り(段階４０８)、前記ＵＥは、前記ＲＮＣ Ａに無線ベアラーセットアップ完了メッセージを伝送する(段階４１０)。
【００４４】
前記ＵＥが特定のマルチキャストサービスを受けることを希望する場合、前記ＲＮＣ Ａは、前記ＵＥによってマクロセルが選択されるか否かを決定するためにＣ／Ｉを測定できるように測定制御信号を伝送する(段階４１２)。前記ＵＥは、ＵＥが位置したマクロセル領域におけるＣ／Ｉを測定し、前記測定されたＣ／Ｉを前記ＲＮＣ Ａに伝送する(段階４１４)。前記ＲＮＣ Ａは、前記測定されたＣ／Ｉと前記マルチキャストサービスのために要請されるＣ／Ｉとを比較する(段階４１５)。
【００４５】
前記測定されたマクロセル領域におけるＣ／Ｉが前記マルチキャストサービスのために要請されるＣ／Ｉを満足する(または、より大きい)場合、前記ＵＥは、ＵＥの属するマクロセル基地局にハンドオーバーを遂行し(段階４１６)、前記マクロセルから前記マルチキャストサービスを受ける。
【００４６】
前記手順は、使用者によって進行中である他のサービスがない場合の割り当て方法である。さらに、同時呼の側面から見て、同時呼の提供のための階層割り当て方案は、Ｃ／Ｉだけでなく以下のような既存呼提供階層によるセル選択を考慮する。
【００４７】
（ａ）マクロセルにおいて他のサービスを予め受けている使用者が前記マクロセルが提供するマルチキャストサービスを要請する場合、前記使用者は、同一のマクロセルから既存の進行中のサービス及びマルチキャストサービスを同時に受ける。
【００４８】
（ｂ）マクロセルにおいて他のサービスを予め受けている使用者がマイクロセルが提供するマルチキャストサービスを要請する場合、基地局は、前記マクロセルにおいてサービス中の呼をマイクロセルにハンドオフして、前記マイクロセルにおいてマルチキャストサービス及び進行中の呼を同時にサービスする。一方、前記マイクロセルの容量不足によってマルチキャストサービスを提供することができない場合、前記基地局は、マクロセルの負荷によってマルチキャストサービスを受容するか否かを決定し、前記マクロセルにおける特定マルチキャストサービス領域を増加させることで、前記マクロセルにおけるマルチキャストサービス及び既存の呼を同時に受容する。
【００４９】
（ｃ）マイクロセルにおいて他のサービスを予め受けている使用者がマクロセルが提供するマルチキャストサービスを要請する場合、前記(ｂ)の手順と同一に遂行される。しかしながら、前記マイクロセルが同一のマルチキャストサービスを提供する時に可能である。
【００５０】
（ｄ）マイクロセルにおいて他のサービスを予め受けている使用者がマイクロセルが提供する他のマルチキャストサービスを要請する場合、前記マイクロセルにおいて呼が進行中である使用者がマイクロセルが提供する高速データ伝送率のマルチキャストサービスを要請すると、前記マイクロセルは既存の呼及びマルチキャストサービスを同時に提供する。
【００５１】
以上、本発明を具体的な一実施形態を参照して詳細に説明してきたが、本発明の範囲は前述の一実施形態によって限られるべきではなく、本発明の範囲内で様々な変形が可能であるということは、当該技術分野における通常の知識を持つ者には明らかである
【図面の簡単な説明】
【００５２】
【図１】本発明による階層セル構造においてマルチキャストサービスのためのＣ／Ｉ基盤のサービス地域を示す図である。
【図２】本発明による階層セル構造においてマルチキャストサービス提供の概念を示す図である。
【図３】本発明による階層セル構造においてマルチキャストサービスを提供する手順を示すフローチャートである。
【図４】本発明による階層セル構造においてマルチキャストサービスの呼を処理する手順を示すフローチャートである。
【符号の説明】
【００５３】
１００      マクロセル
１１０      マイクロセル
２０２、２０４、２０６、２０８      領域
【図１】
2004260824.tif 000004
【図２】
2004260824.tif 000005
【図３】
2004260824.tif 000006
【図４】
2004260824.tif 000007
【外国語明細書】
2004260824.tif 000008
2004260824.tif 000009
2004260824.tif 000010
2004260824.tif 000011
2004260824.tif 000012
2004260824.tif 000013
2004260824.tif 000014
2004260824.tif 000015
2004260824.tif 000016
2004260824.tif 000017
2004260824.tif 000018
2004260824.tif 000019
2004260824.tif 000020
2004260824.tif 000021
2004260824.tif 000022
2004260824.tif 000023
2004260824.tif 000024
2004260824.tif 000025